(57)【特許請求の範囲】
【請求項１】
クレジットカードによる取引のための利用金額が入力された場合に、ポイントの照会が必要か否かを指定させるための案内画面を表示するように表示デバイスを制御する第３制御手段と、
前記案内画面に応じて照会の必要が指定された場合に、前記クレジットカードの情報、前記クレジットカードの利用者からの入力情報、および前記入力された利用金額を含む取引内容の適否を管理装置に問合せするとともに、前記クレジットカードの所有者に供与されるポイントの照会を前記管理装置に求める第４制御手段と、
前記案内画面において照会の不要が指定された場合に、前記クレジットカードの情報、前記クレジットカードの利用者からの入力情報、および前記入力された利用金額を含む取引内容の適否を前記管理装置に問合せする第５制御手段と、
前記第４制御手段により問合せした取引内容が適正である旨の回答を前記管理装置から受けた場合、その回答と共に前記管理装置から通知されるポイントを前記利用者に報知するための報知動作を行うように報知デバイスを制御するとともにその取引内容をプリント出力するようにプリンタを制御し、前記第５制御手段により問合せした取引内容が適正である旨の回答を前記管理装置から受けた場合、その取引内容をプリント出力するように前記プリンタを制御する第６制御手段と、
を備えることを特徴とする決済端末。
【請求項２】
ポイント照会用の操作手段と、
前記操作手段が操作されたとき、前記クレジットカードの情報および前記クレジットカードの利用者からの入力情報の適否を前記管理装置に問合せするとともに、前記クレジットカードの所有者に供与されるポイントの照会を前記管理装置に求める第１制御手段と、
前記問合せの内容が適正である旨の回答を前記管理装置から受けた場合、その回答と共に前記管理装置から通知されるポイントを前記利用者に報知するための報知動作を行うように前記報知デバイスを制御する第２制御手段と、
をさらに備えることを特徴とする請求項１記載の決済端末。
【請求項３】
前記第６制御手段は、前記プリンタを前記報知デバイスとして利用し、前記管理装置から通知されるポイントを前記取引内容と共にプリント出力する動作を前記報知動作として前記プリンタに行わせる、
ことを特徴とする請求項１または請求項２に記載の決済端末。
【請求項４】
前記問合せの内容が不適正である旨の回答を前記管理装置から受けた場合、その旨を前記利用者に報知するための報知動作を行うように前記報知デバイスを制御する第７制御手段、
をさらに備えることを特徴とする請求項１−３のいずれか一項に記載の決済端末。
【請求項５】
前記管理装置から通知されるポイントには、前記第４制御手段によりポイントの照会を前記管理装置に求めた日が含まれる月に発生したポイントを含むことを特徴とする請求項１−４のいずれか一項に記載の決済端末。
【請求項６】
決済端末を制御するコンピュータを、
クレジットカードによる取引のための利用金額が入力された場合に、ポイントの照会が必要か否かを指定させるための案内画面を表示するように表示デバイスを制御する第３制御手段と、
前記案内画面に応じて照会の必要が指定された場合に、前記クレジットカードの情報、前記クレジットカードの利用者からの入力情報、および前記入力された利用金額を含む取引内容の適否を管理装置に問合せするとともに、前記クレジットカードの所有者に供与されるポイントの照会を前記管理装置に求める第４制御手段と、
前記案内画面において照会の不要が指定された場合に、前記クレジットカードの情報、前記クレジットカードの利用者からの入力情報、および前記入力された利用金額を含む取引内容の適否を前記管理装置に問合せする第５制御手段と、
前記第４制御手段により問合せした取引内容が適正である旨の回答を前記管理装置から受けた場合、その回答と共に前記管理装置から通知されるポイントを前記利用者に報知するための報知動作を行うように報知デバイスを制御するとともにその取引内容をプリント出力するようにプリンタを制御し、前記第５制御手段により問合せした取引内容が適正である旨の回答を前記管理装置から受けた場合、その取引内容をプリント出力するように前記プリンタを制御する第６制御手段と、
して機能させるためのプログラム。
【請求項７】
決済端末およびサーバを含む決済システムであって、
クレジットカードによる取引のための利用金額が入力された場合に、ポイントの照会が必要か否かを指定させるための案内画面を表示するように表示デバイスを制御する第３制御手段と、
前記案内画面に応じて照会の必要が指定された場合に、前記クレジットカードの情報、前記クレジットカードの利用者からの入力情報、および前記入力された利用金額を含む取引内容の適否を管理装置に問合せするとともに、前記クレジットカードの所有者に供与されるポイントの照会を前記管理装置に求める第４制御手段と、
前記案内画面において照会の不要が指定された場合に、前記クレジットカードの情報、前記クレジットカードの利用者からの入力情報、および前記入力された利用金額を含む取引内容の適否を前記管理装置に問合せする第５制御手段と、
前記第４制御手段により問合せした取引内容が適正である旨の回答を前記管理装置から受けた場合、その回答と共に前記管理装置から通知されるポイントを前記利用者に報知するための報知動作を行うように報知デバイスを制御するとともにその取引内容をプリント出力するようにプリンタを制御し、前記第５制御手段により問合せした取引内容が適正である旨の回答を前記管理装置から受けた場合、その取引内容をプリント出力するように前記プリンタを制御する第６制御手段と、
を備え、前記各手段のうち、少なくとも１つの手段を前記決済端末が含み、その決済端末が含む手段を除く残りの手段を前記サーバが含むことを特徴とする決済システム。
【発明の詳細な説明】
【技術分野】
【０００１】
本発明の実施形態は、クレジットカードによる取引を決済する決済端末とそのプログラムおよび決済システムに関する。
【背景技術】
【０００２】
商品等の取引にクレジットカードを利用する場合、そのクレジットカードの情報、同クレジットカードの利用者からの入力情報、および利用金額を含む取引内容が決済用の端末から同クレジットカードを管理する機関（クレジットカード会社や金融機関）の管理装置に送られ、その取引内容の適否が審査される。取引内容が適正であれば、取引が完了する。
【０００３】
クレジットカードによる取引が完了し、その利用金額がクレジットカードの所有者の銀行口座から引き落とされると、利用金額に応じたポイントが特典として上記管理機関からクレジットカードの所有者に供与される。供与されたポイントは、管理機関から送られてくる利用明細書を見ることにより、あるいはパーソナルコンピュータやスマートフォンから通信ネットワークを介して管理機関のホームページにアクセスしそのホームページ上の会員専用ページにログインして利用明細を見ることにより、確認することができる。
【先行技術文献】
【特許文献】
【０００４】
【特許文献１】特開２００６−３９７２９号公報
【発明の概要】
【発明が解決しようとする課題】
【０００５】
クレジットカードの利用明細書は、月に一度、決まった時期に管理機関から送られてくる。このため、ポイントが現時点でどのくらい貯まっているかを度々確認しようとしても、その確認は利用明細書からでは不可能である。
【０００６】
現時点のポイントを機会あるごとに確認するためには、その都度、クレジット会社のホームページにアクセスしてそのホームページ上の会員専用ページにログインすればよい。ただし、アクセス用のパーソナルコンピュータやスマートフォンを利用できない状況では、現時点のポイントを機会あるごとに確認するといった処置が不可能である。
【０００７】
本発明の実施形態の目的は、クレジットカードの利用に伴い供与されるポイントの現状を利用者からの求めに応じてその都度利用者に的確に知らせることができる決済端末とそのプログラムおよび決済システムを提供することである。
【課題を解決するための手段】
【０００８】
本発明の実施形態の決済端末は、クレジットカードによる取引のための利用金額が入力された場合に、ポイントの照会が必要か否かを指定させるための案内画面を表示するように表示デバイスを制御する第３制御手段と、前記案内画面に応じて照会の必要が指定された場合に、クレジットカードの情報およびクレジットカードの利用者からの入力情報、および入力された利用金額を含む取引内容の適否を管理装置に問合せするとともに、クレジットカードの所有者に供与されるポイントの照会を管理装置に求める第４制御手段と、案内画面において照会の不要が指定された場合に、クレジットカードの情報、クレジットカードの利用者からの入力情報、および入力された利用金額を含む取引内容の適否を管理装置に問合せする第５制御手段と、第４制御手段により問合せした問合せの内容が適正である旨の回答を管理装置から受けた場合、その回答と共に管理装置から通知されるポイントを利用者に報知するための報知動作を行うように報知デバイスを制御するとともにその取引内容をプリント出力するようにプリンタを制御し、第５制御手段により問合せした取引内容が適正である旨の回答を管理装置から受けた場合、その取引内容をプリント出力するようにプリンタを制御する第６制御手段と、を備える。
【図面の簡単な説明】
【０００９】
【図１】一実施形態の外観を示す図。
【図２】一実施形態の取引初期画面を示す図。
【図３】一実施形態の制御回路のブロック図。
【図４】一実施形態に関わるクレジットカード会社の取引ファイルの内容を示す図。
【図５】一実施形態に関わるクレジットカード会社のポイント管理ファイルの内容を示す図。
【図６】一実施形態の処理を示すフローチャート。
【図７】一実施形態のポイント照会書を示す図。
【図８】一実施形態の支払区分選定画面を示す図。
【図９】一実施形態のポイント照会案内画面を示す図。
【図１０】一実施形態のポイント照会必要時の利用明細用紙を示す図。
【図１１】一実施形態のポイント照会不要時の利用明細用紙を示す図。
【図１２】一実施形態の変形例を示す図。
【発明を実施するための形態】
【００１０】
以下、一実施形態について図面を参照して説明する。  
図１において、１は店舗のレジカウンタなどに設置する決済端末の本体で、電源スイッチ２を側面部に有するとともに、開閉自在な上ユニット３を上面部に有する。上ユニット３は、上面部にタッチパネル式表示部４、側部にカードリーダ５、下縁部にプリンタ６の排紙口、上面部におけるタッチパネル式表示部４の隣位置にリセット釦７を有する。
【００１１】
上記カードリーダ５は、顧客から提示されるクレジットカードやデビットカード等が挿入されてスライドされることにより、そのカードに記録されている情報を読取る。プリンタ６は、決済済みの取引内容を本体１に収容されているロール紙にプリントし、このプリント後の用紙をカットして排紙口から排出する。リセット釦７は、タッチパネル式表示部４で入力される情報およびカードリーダ５の読取り情報などをクリアする場合に押圧操作される。
【００１２】
この本体１からコード８を介して暗証番号入力用のピンパッド１０を導出する。ピンパッド１０は、液晶表示部１１、テンキー１２、および遮蔽カバー１３を有する。
【００１３】
上記タッチパネル式表示部４は、図２に示すような情報表示エリア２１および情報入力エリア２２からなる取引初期画面を表示する。情報表示エリア２１は、商品コードや利用金額の表示を含む。情報入力エリア２２は、数値入力用のテンキーパターン２２ａ、ポイント照会用の操作手段である“ポイント照会”キーパターン２２ｂ、“セット”キーパターン２２ｃ、“訂正”キーパターン２２ｄの表示を含む。“ポイント照会”キーパターン２２ｂは、クレジットカードの所有者に供与されるポイントを照会したい場合にタッチ操作される。
【００１４】
本体１の制御回路を図３に示す。  
タッチパネル式表示部４は、カラーの画像表示が可能なＬＣＤ表示モジュール４ａ、およびこのＬＣＤ表示モジュール４ａ上に設けられたフルタッチパネル４ｂを有し、グラフィカルユーザインタフェース（Graphical User Interface；ＧＵＩ）として機能する。
【００１５】
３０はマイクロコンピュータのＣＰＵで、このＣＰＵ３０に上記電源スイッチ２、上記カードリーダ５、上記プリンタ６、上記リセット釦７、上記ピンパッド１０、表示コントローラ３１、およびメモリ３２を接続する。表示コントローラ３１は、ＣＰＵ３０により生成される種々の画面をタッチパネル式表示部４のＬＣＤ表示モジュール４ａで表示するとともに、タッチパネル式表示部４のフルタッチパネル４ｂがタッチされたときにそのタッチの位置に対応するＬＣＤ表示モジュール４ａの表示内容を入力情報としてＣＰＵ３０に供給する。メモリ３２は、ＣＰＵ３０の制御に必要なプログラムを記憶するとともに、タッチパネル式表示部４のＬＣＤ表示モジュール４ａで表示する種々の画面を生成するための各種画像パターン情報、およびこれら画像パターン情報の表示領域をＬＣＤ表示モジュール４ａ上で指定するための座標情報を記憶している。
【００１６】
このＣＰＵ３０を店舗サーバ４０および通信ネットワーク４１を介してクレジットカードの管理機関であるクレジットカード会社や金融機関の管理装置たとえば管理サーバ５０に接続する。管理サーバ５０は、審査用データベース５１および保存用データベース５２を付属して備え、ＣＰＵ３０から取引内容の適否の問合せを受けると、その適否を審査用データベース５１内の会員情報・有効期限・ブラックリスト等の情報に基づいて審査し、適正なら承認、不適正なら拒否という審査結果をＣＰＵ３０に回答するとともに、その審査結果を図４に示すように取引内容（取引日時・会員番号・利用金額）に対応付けた形で保存用データベース５２内の取引ファイル５２ａに保存する。さらに、管理サーバ５０は、承認した取引に関する利用金額の口座引落が完了したとき、その利用金額に応じたポイント（今月発生ポイント・累計ポイント）を算出し、それを図５に示すように会員情報および暗証番号に対応付けた形で保存用データベース５２内のポイント管理ファイル５１ｂに保存する。この保存により、そのポイントがクレジットカードの所有者に特典として供与される。
【００１７】
また、管理サーバ５０は、ＣＰＵ３０からポイント照会のためのカード情報（会員番号・有効期限等）および暗証番号の適否の問合せを受けた場合、その適否を審査用データベース５１内の会員情報・有効期限・ブラックリスト等の情報に基づいて審査し、適正なら承認、不適正なら拒否という審査結果をＣＰＵ３０に回答するとともに、その審査結果を図４に示すように取引内容（取引日時・会員番号・照会事項名）に対応付けた形で保存用データベース５２内の取引ファイル５２ａに保存する。そして、管理サーバ５０は、審査結果が承認の場合、承認したカード情報（会員番号・有効期限等）および暗証番号に対応するポイント（今月発生ポイント・累計ポイント）をポイント管理ファイル５１ｂから読出し、それをＣＰＵ３０に通知する。
【００１８】
ＣＰＵ３０は、主要な機能として次の（１）〜（７）の手段を有する。  
（１）タッチパネル式表示部４で表示する取引初期画面の“ポイント照会”キーパターン２２ｂがタッチ操作されたとき、カードリーダ５で読取られるクレジットカードの情報および同クレジットカードの利用者からの入力情報の適否を上記管理サーバ５０に問合せするとともに、同クレジットカードの所有者に供与されるポイントの照会を管理サーバ５０に求める第１制御手段。クレジットカードからの読取情報は、会員番号や有効期限である。利用者からの入力情報は、ピンパッド１０の操作により入力される識別情報たとえば暗証番号である。
【００１９】
（２）上記問合せの内容が適正である旨の承認という回答を管理サーバ５０から受けた場合、その回答と共に管理サーバ５０から通知されるポイントを報知する第２制御手段。報知として、具体的には、プリンタ６を用いた用紙へのプリント出力を行う。
【００２０】
（３）クレジットカードによる取引のための利用金額が入力された場合に、ポイントの照会が必要か否かを指定させるためのポイント照会案内画面をタッチパネル式表示部４で表示する第３制御手段。
【００２１】
（４）上記ポイント照会案内画面において照会の必要が指定された場合に、カードリーダ５で読取られるクレジットカードの情報（会員番号や有効期限）、同クレジットカードの利用者からの入力情報（暗証番号）、および上記入力された利用金額を含む取引内容の適否を管理サーバ５０に問合せするとともに、ポイントの照会を管理サーバ５０に求める第４制御手段。
【００２２】
（５）上記ポイント照会案内画面において照会の不要が指定された場合に、カードリーダ５で読取られるクレジットカードの情報（会員番号や有効期限）、同クレジットカードの利用者からの入力情報（暗証番号）、および上記入力された利用金額を含む取引内容の適否を管理サーバ５０に問合せする第５制御手段。
【００２３】
（６）上記第４制御手段により問合せした取引内容が適正である旨の承認という回答を管理サーバ５０から受けた場合、その回答と共に管理サーバ５０から通知されるポイントを報知するとともにその取引内容をプリンタ６により用紙にプリント出力し、上記第５制御手段により問合せした取引内容が適正である旨の承認という回答を管理サーバ５０から受けた場合は、その取引内容をプリンタ６により用紙にプリント出力する第６制御手段。ポイントの報知については、具体的には、取引内容と同じく、プリンタ６によるプリント出力を行う。
【００２４】
（７）上記問合せの内容が不適正である旨の拒否という回答を管理サーバ５０から受けた場合、その拒否の旨を報知する第７制御手段。報知については、具体的には、タッチパネル式表示部４による表示を行う。
【００２５】
つぎに、本体１の処理について図６のフローチャートを参照しながら説明する。  
店舗の係員は、例えば入店者からポイントの照会を依頼されると、タッチパネル式表示部４で表示されている取引初期画面（図２）の“ポイント照会”キーパターン２２ｂを手指でタッチするとともに、その依頼者から提示されるクレジットカードをカードリーダ５に通し、さらにピンパッド１０による暗証番号の入力が必要なことを依頼者に伝える。
【００２６】
“ポイント照会”キーパターン２２ｂがタッチされると（ステップ１０１のＹＥＳ）、カードリーダ５に通されるクレジットカードの情報を読取る（ステップ１０２）。この読取りが完了すると（ステップ１０３のＹＥＳ）、ピンパッド１０による暗証番号の入力を受付ける（ステップ１０４）。この暗証番号の入力が完了すると（ステップ１０５のＹＥＳ）、上記読取ったカード情報および今回入力された暗証番号の適否を管理サーバ５０に問合せするとともに、ポイントの照会を管理サーバ５０に求める（ステップ１０６）。
【００２７】
この問合せの内容が適正である旨の承認という回答を管理サーバ５０から受けると（ステップ１０７のＹＥＳ）、その回答と共に管理サーバ５０から通知されるポイントをプリンタ６で用紙にプリントする（ステップ１０８）。管理サーバ５０から通知されるポイントは、今回の問合せ日が含まれる月に発生した今月発生ポイント（今月獲得ポイントともいう）、および今回の問合せ日までに発生したポイントの累計いわゆる累計ポイントである。この今月発生ポイントおよび累計ポイントを加盟店名・売場・係員・端末番号・利用日・伝票番号・会員番号・カード会社などの情報と共に用紙にプリントすることで、図７に示すようなプリント照会書を作成する。係員は、このプリント照会書をポイント照会の依頼者に手渡す。依頼者は、手渡されるプリント照会書を見ることにより、ポイントが現時点でどのくらい貯まっているかを確認することができる。とくに、ポイントを知りたい人にとっては、パーソナルコンピュータやスマートフォンを所持していなくても、また電源がなくてパーソナルコンピュータやスマートフォンを使用できない状況であっても、クレジットカードの加盟店に飛び込んで係員に頼むだけで、しかもホームページの会員専用ページにアクセスする作業を要することなく、現時点のポイントを即時に知ることができる。
【００２８】
上記問合せの内容が不適正である旨の拒否という回答を管理サーバ５０から受けた場合には（ステップ１０７のＮＯ）、タッチパネル式表示部４で拒否の旨を表示する（ステップ１０９）。今回のポイント照会がクレジットカード会社や金融機関から拒否されたことを依頼者に伝える。
【００２９】
一方、入店者が商品を購入した場合のクレジットカードによる取引に際し、係員は、利用金額をタッチパネル式表示部４の取引初期画面（図２）において入力するとともに、その買物客から提示されるクレジットカードをカードリーダ５に通す。
【００３０】
取引初期画面で利用金額が入力されると（ステップ１０１のＮＯ、ステップ１１０のＹＥＳ）、カードリーダ５に通されるクレジットカードの情報を読取る（ステップ１１１）。この読取りが完了すると（ステップ１１２のＹＥＳ）、タッチパネル式表示部４の表示を取引初期画面から図８に示す支払区分選定画面に切換えて支払区分の入力を受付ける（ステップ１１３）。
【００３１】
支払区分選定画面は、情報表示エリア２３および情報入力エリア２４からなる。情報表示エリア２３は、利用金額（支払金額ともいう）の表示を含む。情報入力エリア２４は、“一回払い”キーパターン２４ａ、“分割払い”キーパターン２４ｂ、“ボーナス払い”キーパターン２４ｃ、“ボーナス併用払い”キーパターン２４ｄ、“リボ払い”キーパターン２４ｅ、“セット”キーパターン２４ｆ、“戻る”キーパターン２４ｇの表示を含む。
【００３２】
支払区分の入力が完了すると（ステップ１１４のＹＥＳ）、タッチパネル式表示部４の表示を支払区分選定画面から図９に示すポイント照会案内画面に切換える（ステップ１１５）。ポイント照会案内画面は、情報表示エリア２５および情報入力エリア２６からなる。情報表示エリア２５は、利用金額（支払金額ともいう）の表示を含む。情報入力エリア２６は、『ポイント照会が必要かどうか確認してください』という案内文、“要る”キーパターン２６ａ、“要らない”キーパターン２６ｂの表示を含む。係員は、この案内文に従い、ポイント照会が必要かどうかを買物客に確認し、必要との返事があれば“要る”キーパターン２６ａをタッチ操作し、不要との返事があれば“要らない”キーパターン２６ｂをタッチ操作する。さらに、係員は、ピンパッド１０による暗証番号の入力が必要なことを買物客に伝える。
【００３３】
“要る”キーパターン２６ａがタッチ操作されると（ステップ１１６のＹＥＳ）、照会フラグｆに“１”をセットし（ステップ１１７）、ピンパッド１０による暗証番号の入力を受付ける（ステップ１１９）。この暗証番号の入力が完了したとき（ステップ１２０のＹＥＳ）、照会フラグｆが“１”であれば（ステップ１２１のＹＥＳ）、上記読取ったカード情報、今回入力された暗証番号、および上記入力された利用金額を含む取引内容の適否を管理サーバ５０に問合せするとともに、ポイントの照会を管理サーバ５０に求める（ステップ１２２）。
【００３４】
問合せた取引内容が適正である旨の承認という回答を管理サーバ５０から受けると（ステップ１２３のＹＥＳ）、その回答と共に管理サーバ５０から通知されるポイントを取引内容と共にプリンタ６で用紙にプリントする（ステップ１２４）。管理サーバ５０から通知されるポイントは、今月発生ポイント（今月獲得ポイントともいう）および累計ポイントのほかに、今回取引の利用金額がクレジットカードの所有者の銀行口座から引き落とされた際に供与される予定の今回発生予定ポイント（今回獲得予定ポイントともいう）である。この今月発生ポイント、累計ポイント、および今回発生予定ポイントを加盟店名・売場・係員・端末番号・利用日・伝票番号・会員番号・カード会社などの情報および取引内容と共に用紙にプリントすることで、図１０に示すような取引明細書（お客様控えともいう）を作成する。係員はこの取引明細書を買物客に手渡す。買物客は、手渡される利用明細書を見ることにより、ポイントが現時点でどのくらい貯まっているか、今回の買い物によってどのくらいのポイントが加わる予定であるかを、今回の取引内容と共に的確に確認することができる。
【００３５】
問合せた取引内容が不適正である旨の拒否という回答を管理サーバ５０から受けた場合には（ステップ１２３のＮＯ）、タッチパネル式表示部４で拒否の旨を表示する（ステップ１０９）。係員は、今回の取引およびポイント照会がクレジットカード会社や金融機関から拒否されたことを買物客に伝える。
【００３６】
買物客がポイント照会を望まず、支払区分選定画面の“要らない”キーパターン２６ｂがタッチ操作された場合（ステップ１１６のＮＯ）、照会フラグｆに“０”をセットし（ステップ１１８）、ピンパッド１０による暗証番号の入力を受付ける（ステップ１１９）。この暗証番号の入力が完了したとき（ステップ１２０のＹＥＳ）、照会フラグｆが“０”であれば（ステップ１２１のＮＯ）、上記読取ったカード情報、今回入力された暗証番号、および上記入力された利用金額を含む取引内容の適否を管理サーバ５０に問合せする（ステップ１２５）。
【００３７】
問合せた取引内容が適正である旨の承認という回答を管理サーバ５０から受けると（ステップ１２６のＹＥＳ）、その取引内容をプリンタ６で用紙にプリントする（ステップ１２７）。このプリントにより、図１１に示すような取引明細書を作成する。係員はこの取引明細書を買物客に手渡す。買物客は、手渡される利用明細書を見ることにより、今回の取引内容を確認することができる。獲得ポイントがまだ低い人やポイントにまったく興味のない人にとっては、このように取引内容のみプリントする方が見易さや分かり易さの面で好まれると考えられる。
【００３８】
問合せた取引内容が不適正である旨の拒否という回答を管理サーバ５０から受けた場合には（ステップ１２６のＮＯ）、タッチパネル式表示部４で拒否の旨を表示する（ステップ１０９）。係員は、今回の取引がクレジットカード会社や金融機関から拒否されたことを買物客に伝える。
【００３９】
なお、上記実施形態では、照会したポイントを用紙へのプリントによって報知する構成としたが、タッチパネル式表示部４の表示によって報知する構成としてもよい。また、照会した累計ポイントにより交換可能な商品名やサービス名の一例についても管理サーバ５０から通知してもらい、その商品名やサービス名をポイントと併せて報知する構成としてもよい。この場合、ポイントを照会して確認する楽しみが増えるので、店舗にとっては来店者および買物客が増えて販売が促進されるなどの効果が得られる。
【００４０】
また、変形例として、当該決済端末の機能や構成の一部を外部のサーバに設けることも可能である。このシステムを構築する場合、例えばクラウドコンピューティングを利用できる。より具体的には、ＳａａＳ（software as a service）と称されるソフトウェア提供形態が適する。このクラウドシステムを利用する場合の構成を図１２に示す。決済システム２００は、クラウド２０１、複数の端末２０２および複数の通信ネットワーク２０３、および互いに通信接続された複数のサーバ２０４を有する。これら端末２０２、通信ネットワーク２０３、およびサーバ２０４は、それぞれ１つのみでもよい。端末２０２は、通信ネットワーク２０３を介してクラウド２０１と通信可能である。端末２０２としては、当該決済端末、デスクトップタイプやノートブックタイプなどの種々のコンピュータ、携帯電話装置、携帯情報端末（ＰＤＡ）、あるいはスマートフォンなどを適宜に利用できる。通信ネットワーク２０３としては、インターネット、プライベートネットワーク、次世代ネットワーク（ＮＧＮ）、あるいはモバイルネットワークなどを適宜に利用できる。
【００４１】
この決済システム２００において、当該決済端末が持つ機能や構成のうち、少なくとも１つをサーバ２０４に設け、そのサーバ２０４に設けない残りの機能や構成を端末２０２に設ける。サーバ２０４に設ける機能や構成は、１つのサーバ２０４に配置してもよいし、複数のサーバ２０４に分散して配置してもよい。
【００４２】
その他、上記実施形態および変形例は、例として提示したものであり、発明の範囲を限定することは意図していない。この新規な実施形態および変形例は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
以下に、本願の当初の特許請求の範囲に記載された発明を付記する。
［１］
クレジットカードによる取引を決済する決済端末において、
ポイント照会用の操作手段と、
前記操作手段が操作されたとき、前記クレジットカードの情報および同クレジットカードの利用者からの入力情報の適否を管理装置に問合せするとともに、同クレジットカードの所有者に供与されるポイントの照会を同管理装置に求める第１制御手段と、
前記問合せの内容が適正である旨の回答を前記管理装置から受けた場合、その回答と共に同管理装置から通知されるポイントを報知する第２制御手段と、
を備えることを特徴とする決済端末。
［２］
前記クレジットカードによる取引のための利用金額が入力された場合に、前記ポイントの照会が必要か否かを指定させるための案内画面を表示する第３制御手段と、
前記案内画面において照会の必要が指定された場合に、前記クレジットカードの情報、同クレジットカードの利用者からの入力情報、および前記入力された利用金額を含む取引内容の適否を前記管理装置に問合せするとともに、前記ポイントの照会を同管理装置に求める第４制御手段と、
前記案内画面において照会の不要が指定された場合に、前記クレジットカードの情報、同クレジットカードの利用者からの入力情報、および前記入力された利用金額を含む取引内容の適否を前記管理装置に問合せする第５制御手段と、
前記第４制御手段により問合せした取引内容が適正である旨の回答を前記管理装置から受けた場合、その回答と共に同管理装置から通知されるポイントを報知するとともにその取引内容をプリント出力し、前記第５制御手段により問合せした取引内容が適正である旨の回答を前記管理装置から受けた場合、その取引内容をプリント出力する第６制御手段と、
をさらに備えることを特徴とする［１］記載の決済端末。
［３］
前記第２制御手段は、前記管理装置から通知されるポイントをプリント出力する、
前記第６制御手段は、前記管理装置から通知されるポイントを前記取引内容と共にプリント出力する、
ことを特徴とする［２］記載の決済端末。
［４］
前記問合せの内容が不適正である旨の回答を前記管理装置から受けた場合、その旨を報知する第７制御手段、
をさらに備えることを特徴とする［１］乃至［３］のいずれかに記載の決済端末。
［５］
コンピュータおよびポイント照会用の操作手段を含み、クレジットカードによる取引を決済する決済端末において、
前記コンピュータに、
前記操作手段が操作されたとき、前記クレジットカードの情報および同クレジットカードの利用者からの入力情報の適否を管理装置に問合せするとともに、同クレジットカードの所有者に供与されるポイントの照会を同管理装置に求める第１制御機能と、
前記問合せの内容が適正である旨の回答を前記管理装置から受けた場合、その回答と共に同管理装置から通知されるポイントを報知する第２制御機能と、
を実現させることを特徴とするプログラム。
［６］
クレジットカードによる取引を決済する決済端末およびサーバを含む決済システムであって、
ポイント照会用の操作手段と、
前記操作手段が操作されたとき、前記クレジットカードの情報および同クレジットカードの利用者からの入力情報の適否を管理装置に問合せするとともに、同クレジットカードの所有者に供与されるポイントの照会を同管理装置に求める第１制御手段と、
前記問合せの内容が適正である旨の回答を前記管理装置から受けた場合、その回答と共に同管理装置から通知されるポイントを報知する第２制御手段と、
を備え、前記各手段のうち、少なくとも１つの手段を前記決済端末が含み、その決済端末が含む手段を除く残りの手段を前記サーバが含むことを特徴とする決済システム。
【符号の説明】
【００４３】
１…本体、４…タッチパネル式表示部、５…カードリーダ、６…プリンタ、１０…ピンパッド、２１…情報表示エリア、２２…情報入力エリア、２２ａ…テンキーパターン、２２ｂ…“ポイント照会”キーパターン（操作手段）、３０…ＣＰＵ、４０…店舗サーバ、４１…通信ネットワーク、５０…管理サーバ（管理装置）、５１…審査用データベース、５２…保存用データベース、６０…ポイント照会書、７０…利用明細書
【図１】
0005548713.tif 000002
【図２】
0005548713.tif 000003
【図３】
0005548713.tif 000004
【図４】
0005548713.tif 000005
【図５】
0005548713.tif 000006
【図６】
0005548713.tif 000007
【図７】
0005548713.tif 000008
【図８】
0005548713.tif 000009
【図９】
0005548713.tif 000010
【図１０】
0005548713.tif 000011
【図１１】
0005548713.tif 000012
【図１２】
0005548713.tif 000013